(57)【要約】【課題】  壁面に傷を付けたり局所的圧力を作用させたりすることなく仕上材支持アンカーを取り付ける。【解決手段】  両側部に係止爪５を備えた可撓性のプレート４からなり、外壁面等に取り付けられる仕上材に設けられている係止溝に係止爪５を差し入れ、プレート４を変形させることによって係止爪５を当該係止溝に係止させて仕上材に固定される仕上材支持アンカーのプレート４の一部を波状部６とし、かつ、該波状部６を表裏から挟み付けて押圧し、プレート４を変形させることによって係止用爪５を移動させ係止溝に係止させる押圧部材７を備える。【選択図】        図１
2006144420.tif 000002
【特許請求の範囲】
【請求項１】
両側部に係止爪を備えた可撓性のプレートからなり、外壁面等に仕上材を取り付ける際、該仕上材に設けられている係止溝に前記係止爪を差し入れ、前記プレートを変形させることによって前記係止爪を当該係止溝に係止させて前記仕上材に固定される仕上材支持アンカーにおいて、前記プレートの一部が波状部とされ、かつ、該波状部を表裏から挟み付けて押圧し、前記プレートを変形させることによって前記係止用爪を移動させ前記係止溝に係止させる押圧部材を備えていることを特徴とする仕上材支持アンカー。
【請求項２】
前記押圧部材は、前記波状部に設けられた貫通孔を通るボルトと、このボルトに嵌合するナットとで構成されていることを特徴とする請求項１に記載の仕上材支持アンカー。
【請求項３】
前記波状部は少なくとも中央の谷部とその両側の山部とを有する形状であり、前記ナットは少なくとも前記両側の山部の両方に当接することができる大きさであることを特徴とする請求項２に記載の仕上材支持アンカー。
【請求項４】
前記プレートに対して前記ボルトが空回りするのを防ぐための回り止めを備えていることを特徴とする請求項２または３に記載の仕上材支持アンカー。
【請求項５】
前記回り止めは、前記プレートに設けられた係合孔と、前記ボルトの頭部に設けられた突起であってこの係合孔に嵌り込む形状および大きさの係合突起とで構成されていることを特徴とする請求項４に記載の仕上材支持アンカー。
【請求項６】
前記ボルトのねじ部と前記外壁面等との間に介在するアンカー取付部材を備えていることを特徴とする請求項２から５のいずれかひとつに記載の仕上材支持アンカー。
【請求項７】
前記アンカー取付部材は、前記ボルトのねじ部に取り付けられる透孔または切り欠きと、前記外壁面等へねじ込まれるねじ等の締結手段の一部を通過させる締結用の透孔または切り欠きとを備えたものであることを特徴とする請求項６に記載の仕上材支持アンカー。
【請求項８】
前記アンカー取付部材は、前記ボルトのねじ部に取り付けられる透孔または切り欠きと、前記外壁面等へ直接または間接的に引っ掛かる鉤状の係合手段とを備えたものであることを特徴とする請求項６に記載の仕上材支持アンカー。
【請求項９】
前記アンカー取付部材は、前記外壁面等に取り付けられる下地用パネル材であることを特徴とする請求項６に記載の仕上材支持アンカー。
【請求項１０】
前記ボルトは、そのねじ部が少なくとも前記アンカー取付部材が取り付けられるのに十分な程度の長さとされていることを特徴とする請求項６から９のいずれかひとつに記載の仕上材支持アンカー。
【請求項１１】
前記プレートのうち、前記波状部が形成されている部分の一部が切り欠かれていることを特徴とする請求項１から１０のいずれかひとつに記載の仕上材支持アンカー。
【請求項１２】
前記プレートが樹脂製であることを特徴とする請求項１から１１のいずれかひとつに記載の仕上材支持アンカー。
【発明の詳細な説明】
【技術分野】
【０００１】
本発明は、仕上材支持アンカーに関する。さらに詳述すると、本発明は、仕上材の設置対象である壁面（本明細書では設置対象である各種壁面を総称して外壁面等という）に仕上材を取り付ける場合に、この仕上材を支持するため当該仕上材の裏面に固定される仕上材支持用のアンカーの構造の改良に関する。
【背景技術】
【０００２】
建物の壁面上に、例えば陶板を使った化粧材などの外装板（本明細書ではこれらを仕上材という）を取り付けるにあたっては、例えばモルタルを塗布して所定間隔で貼っていくという湿式工法や、仕上材の上下端を取付金物で保持し、胴縁材を使って固定するという乾式工法が利用されている。
【０００３】
乾式工法の場合、取付用の金具が仕上材の表面に露出してしまうことがあり、外観の見栄えが劣るという美感上の問題が起こりうるため、このような問題に対処すべく種々の乾式用アンカーが使用されている。乾式用アンカーとしては、例えば仕上材の裏面に設けられた係止溝に係止爪を引っ掛けるなどして固定され、その状態で外壁面等に取り付けられて仕上材を支持するといったものなどがある。
【０００４】
このような乾式用アンカーとして、従来、アンカー金物自体を変形させることによって係止爪１０５，２０５を仕上材１０２，２０２上の係止溝１０３，２０３に引っ掛けるようにした構造のものが提案されている。具体的には、例えば、フレーム１０４の両側に内側を向く係止爪１０３を形成するとともに、フレーム１０４の中央付近を凸状に曲げ、この凸状部分１０６に横向きにボルト１０７を貫通させた構造の仕上材支持アンカー１０１や（図２４参照）、フレーム２０４を上方に膨らむように湾曲させ、その中央のボルト孔に上からボルト２０６を貫通させた仕上材支持アンカー２０１（図２５参照）などが提案されている（特許文献１参照）。
【０００５】
図２４の仕上材支持アンカー１０１の場合には、両側の係止爪１０５を係止溝１０３に差し入れた状態でボルト１０７を回せば凸状部分１０６が徐々に閉じ、これによって係止爪１０５が係止溝１０３に引っ掛かって仕上材支持アンカー１０１自体が仕上材１０２上に固定される。また、図２５の仕上材支持アンカー２０１の場合には、同じく両側の係止爪２０５を係止溝２０３に差し入れた状態でボルト２０６を回し、ボルト先端を仕上材２０２上に突き当ててからさらに回せばフレーム２０４が膨らむようにして上方に押し上げられ、係止爪２０５が係止溝２０３に引っ掛かって仕上材支持アンカー２０１自身が仕上材２０２上に固定される。
【０００６】
【特許文献１】実公平４−４９２８６号公報
【発明の開示】
【発明が解決しようとする課題】
【０００７】
しかしながら、図２４に示した仕上材支持アンカー１０１の場合には、フレーム１０４と外壁面等との間へのコンクリート充填のし易さという点で問題がある。また、仕上材支持アンカー１０１を例えば厚さ１ｍｍ程度の薄いプレートに取り付けるような場合、プレートにタップを切ってボルトを締め付けることがあるが、これだとボルトの締め付けにタップが耐えられない、あるいはボルトを締め付けていくうちにプレートが閉じてタップの向きがずれてくるなど、構造に対する信頼性という面で問題がある。
【０００８】
一方、図２５に示した仕上材支持アンカー２０１の場合には、ボルト２０６の先端を仕上材２０２に押し付ける（あるいは擦り付ける）ことになるため、仕上材２０２にどうしても傷が付いてしまうという問題がある。仕上材支持アンカー２０１をより強固に取り付けようとすれば自ずとボルト２０６を強く回し込むことになるためにこのような問題はさらに顕著となる。また、仕上材支持アンカー２０１が取り付けられた後は仕上材２０２上に局所的圧力がかかった状態が続くために変形やひび割れなどが起こるおそれもある。
【０００９】
そこで、本発明は、仕上材に傷を付けたり局所的圧力を作用させたりすることなく取り付けることができる仕上材支持アンカーを提供することを目的とする。
【課題を解決するための手段】
【００１０】
かかる目的を達成するため、請求項１に記載の発明は、両側部に係止爪を備えた可撓性のプレートからなり、外壁面等に取り付けられる仕上材に設けられている係止溝に係止爪を差し入れ、プレートを変形させることによって係止爪を当該係止溝に係止させて仕上材に固定される仕上材支持アンカーにおいて、プレートの一部が波状部とされ、かつ、該波状部を表裏から挟み付けて押圧し、プレートを変形させることによって係止用爪を移動させ係止溝に係止させる押圧部材を備えていることを特徴とするものである。
【００１１】
すなわち、本発明にかかる仕上材支持アンカーは、波状に形成された部材が圧力下で変形する作用ないしはその性質が利用されているものである。つまり、プレートの一部はあらかじめ波状に形成され、尚かつ、当該波状部は、押圧部材によって平状となるように表裏から押圧される。この仕上材支持アンカーにおける係止爪は、このようにして波状部が押圧されると所定の動作をして係止溝に引っ掛かるように形成されている。
【００１２】
請求項２に記載の発明は、請求項１に記載の仕上材支持アンカーにおいて、押圧部材は、波状部に設けられた貫通孔を通るボルトと、このボルトに嵌合するナットとで構成されているというものである。
【００１３】
請求項３に記載の発明は、請求項２に記載の仕上材支持アンカーにおいて、波状部は少なくとも中央の谷部とその両側の山部とを有する形状であり、ナットは少なくとも両側の山部の両方に当接することができる大きさであるというものである。
【００１４】
請求項４に記載の発明は、請求項２または３に記載の仕上材支持アンカーにおいて、プレートに対してボルトが空回りするのを防ぐための回り止めを備えているというものである。
【００１５】
請求項５に記載の発明は、請求項４に記載の仕上材支持アンカーにおいて、回り止めは、プレートに設けられた係合孔と、ボルトの頭部に設けられた突起であってこの係合孔に嵌り込む形状および大きさの係合突起とで構成されているというものである。
【００１６】
請求項６に記載の発明は、請求項２から５のいずれかひとつに記載の仕上材支持アンカーにおいて、ボルトのねじ部と外壁面等との間に介在するアンカー取付部材を備えていることを特徴とするものである。
【００１７】
請求項７に記載の発明は、請求項６に記載の仕上材支持アンカーにおいて、アンカー取付部材は、ボルトのねじ部に取り付けられる透孔または切り欠きと、外壁面等へねじ込まれるねじ等の締結手段の一部を通過させる締結用の透孔または切り欠きとを備えたものであることを特徴としている。
【００１８】
請求項８に記載の発明は、請求項６に記載の仕上材支持アンカーにおいて、アンカー取付部材は、ボルトのねじ部に取り付けられる透孔または切り欠きと、外壁面等へ直接または間接的に引っ掛かる鉤状の係合手段とを備えたものであることを特徴としている。
【００１９】
請求項９に記載の発明は、請求項６に記載の仕上材支持アンカーにおいて、アンカー取付部材は、外壁面等に取り付けられる下地用パネル材であることを特徴としている。
【００２０】
請求項１０に記載の発明は、請求項６から９のいずれかひとつに記載の仕上材支持アンカーにおいて、ボルトは、そのねじ部が少なくともアンカー取付部材が取り付けられるのに十分な程度の長さとされているというものである。
【００２１】
請求項１１に記載の発明は、請求項１から１０のいずれかひとつに記載の仕上材支持アンカーにおいて、プレートのうち、波状部が形成されている部分の一部が切り欠かれているというものである。
【００２２】
請求項１２に記載の発明は、請求項１から１１のいずれかひとつに記載の仕上材支持アンカーにおいて、プレートが樹脂製であることを特徴としている。
【発明の効果】
【００２３】
請求項１記載の仕上材支持アンカーによると、プレートの波状部を挟み込むように押圧した際のプレートの形状に由来する変形作用を利用して係止爪を係止溝に係止させ、当該仕上材支持アンカー自身を仕上材の裏面に固定することができる。この場合の押圧部材はプレート上の波状部を挟み込みように作用するだけであり、壁面に触れたり擦ったりするようなことがない。したがって、仕上材に傷を付けたり局所的圧力を作用させて変形やひび割れを生じさせたりすることがなくアンカーを設置することができる。また、押圧部材をさらに強く締め付けて押圧力を大きくしたとしても、仕上材に傷が付いたり変形等を生じさせたりするようなことは皆無である。
【００２４】
請求項２の仕上材支持アンカーによると、ボルトとナットという汎用的な部材を利用して押圧部材を構成し、波状部を押圧することができる。しかも、ボルトとナットを利用した場合には確実に締め付けて波状部に対し徐々に力を作用させることができるし、ボルトまたはナットの相対回転量に応じた強い押圧力を作用させることもできる。
【００２５】
請求項３の仕上材支持アンカーによると、波状部に設けられた両側の山部をナットによって押圧し、また、波状部中央の谷部をボルトの頭部によって押圧し、挟み込むようにして平板状あるいはこれに近い状態となるように当該プレートを変形させることができる。
【００２６】
請求項４の仕上材支持アンカーによると、回り止めにより、プレートに対してボルトが空回りする（ナットの締め付け時にボルトが供に回ってしまう）のを防ぐことができる。このため、ナットの回転量に応じた押圧力を得てプレートを必要十分な程度まで変形させることが可能となり、その分だけ無駄な手間が省けて効率がよい。
【００２７】
請求項５の仕上材支持アンカーによると、ボルトの頭部に設けられた係合突起が、プレートに設けられた係合孔に嵌り込むことによって回り止めとして機能する。したがって、押圧時、ボルトが空回りするのを防ぐことができる。
【００２８】
請求項６の仕上材支持アンカーによると、アンカー取付部材を介して当該仕上材支持アンカーおよび仕上材を外壁面等に取り付けることが可能になる。したがって、例えば、アンカー取付部材を外壁面等に取り付けることによって外壁面等に仕上材を取り付けることができる。
【００２９】
請求項７の仕上材支持アンカーによると、ボルトのねじ部にアンカー取付部材を取り付け、さらにねじ等の締結手段でこのアンカー取付部材を外壁面等に固定することによって、仕上材を外壁面等に取り付けることができる。
【００３０】
請求項８の仕上材支持アンカーによると、係合手段を利用してアンカー取付部材を外壁面等に引っ掛けることにより、仕上材を外壁面等に取り付けることができる。
【００３１】
請求項９の仕上材支持アンカーによると、外壁面等に取り付けられる下地用パネル材を介して仕上材を外壁面等に取り付けることができる。
【００３２】
請求項１０の仕上材支持アンカーによると、ボルトのねじ部を利用してアンカー取付部材を取り付けることができる。しかも、この場合にはアンカー取付部材自身がナットの緩み防止部材としても機能しうる。
【００３３】
また、請求項１１の仕上材支持アンカーによると、波状部が形成されている部分の一部を切り欠いているために、変形させたい部分にのみ有効に押圧力を作用させ、プレートの波状部を効果的に変形させることが可能となっている。
【００３４】
さらに、請求項１２の仕上材支持アンカーによると、プレートを樹脂製としたことにより、であることを特徴としている。必要な強度を確保しつつ軽量化を図ることが可能となる。
【発明を実施するための最良の形態】
【００３５】
以下、本発明の構成を図面に示す実施の形態に基づいて詳細に説明する。
【００３６】
図１〜図７に本発明の一実施形態を示す。本発明にかかる仕上材支持アンカー１は、外壁面等（以下、単に「壁面」という）１０に仕上材２を取り付ける際に利用されるアンカー治具の一種であり、仕上材２の裏面等に固定されて支持用治具として機能するものである。より具体的には、この仕上材支持アンカー１は両側部に係止爪５を備えた可撓性のプレート４からなるもので、仕上材２に設けられている係止溝３にこの係止爪５を差し入れ、プレート４を変形させることによって係止爪５を当該係止溝３に係止させ、仕上材２に固定される構造となっている。このようにして仕上材２に固定された仕上材支持アンカー１は、壁面１０を覆うように取り付けられる仕上材２を裏面から支持する部材として機能する。
【００３７】
本実施形態の仕上材支持アンカー１は、プレート４の一部が波状部６とされ、かつ該波状部６を表裏から挟み付けて押圧する押圧部材７を備えている（図１等参照）。すなわち、本実施形態の仕上材支持アンカー１は、表面が平坦ではない部材がプレスされるよう圧力を受けると変形する作用ないしはその性質が利用されているものである。つまり、プレート４の一部はあらかじめ波状に形成され、尚かつ、仕上材２への取付時、当該波状部６が押圧部材７によって表裏から押圧されて平坦ないしはこれに近い状態まで変形するようになっている。この仕上材支持アンカー１における係止爪５は、このように波状部６が押圧されてプレート４が変形するのに伴い移動し、このように移動することによって係止溝３に引っ掛かるように形成されている。
【００３８】
プレート４は例えば金属製の板状物からなり、表裏から強く押圧すると変形する程度の可撓性を備えたものである。このプレート４の両側部には一対の係止爪５が設けられている。これら係止爪５は仕上材２の係止溝３に引っ掛かる形状のもので、例えば本実施形態では、プレート４の側部を内側に折り曲げて形成したフック状（鉤状）の爪を係止爪５として機能させている（図１、図２参照）。これら一対の係止爪５は、仕上材２の係止溝３に入り込んだ状態で両側から挟み込むようにしてこれら係止溝３に係止し、これによって仕上材支持アンカー１を仕上材２上に固定させる（図２参照）。
【００３９】
なお、これら係止爪５の内側への折り曲げ角度は特に限定されるものではないが、仕上材２上で仕上材支持アンカー１をより強固かつ確実に固定するという観点からすれば、仕上材２に取り付けられたとき、係止溝３の角度とほぼ一致する角度となっていることが好ましい。本実施形態では、仕上材２に取り付ける前の状態における係止爪５の曲げ角度を係止溝３の角度よりも僅かに開き気味としておき（図１の実線参照）、仕上材２に取り付けたとき、これら係止爪５が内側に閉じながら係止溝３の奥側へ溝の面に沿って移動することによって、係止溝３の溝角度とほぼ一致するようにしている（図２参照）。
【００４０】
プレート４の一部には波状部６が形成されている。この波状部６は、何ら外力が作用していない時はその断面が所定形状に曲がった形状であり、その一方で表裏面から押圧されると潰れて平板状もしくはこれに近い状態となるように形成されている（図１、図２参照）。例えば本実施形態では、プレート４の中央付近に波状部６を形成するとともに、この波状部６を押圧して平板状としたときにプレート４の断面形状が変形する作用を利用して両側の係止爪５が下方向（詳しくは、係止爪５の爪が向いている方向）に移動するようにしている（図１参照）。より具体的には、プレート４の中央を緩やかな谷部とし、その両側を山部として波状部６をあたかも潰れたＭ字形状のような断面とし、押圧部材７によってこれら谷部と山部とを押し潰すように圧力をかけることによって変形する形状としている（図１参照）。
【００４１】
押圧部材７は該波状部６を表面と裏面とから挟み付けて押圧するための部材で、このように押圧することによってプレート４を変形させ、これによって係止爪５を移動させる。例えば係止溝３に差し入れられた状態で閉じて互いに近付くように移動する本実施形態の一対の係止爪５は、係止溝３に係止して当該仕上材支持アンカー１を仕上材２上の所定位置に固定するという役割を果たす。
【００４２】
本実施形態においては、上記のような押圧部材７として、ボルト８とナット９の組み合わせを利用している。すなわち、プレート４の波状部６に貫通孔４ａを設け（図４参照）、この貫通孔４ａにボルト８のねじ部８ｂを下から通し、当該ねじ部８ｂに上からナット９を取り付ける構成としている（図１参照）。ここで使用されるボルト８はその頭部８ａが一般的な六角形のものなどでも構わないが、波状部６に加える下面からの圧力を分散させて力をより均等に作用させるという観点からすれば、縦方向（ここでいう縦方向とは、図３や図４中においてプレート４の折り曲げ線に沿った図中縦の方向）に長い形状とすることが好ましい。本実施形態では、この頭部８ａの形状を縦方向に長い矩形とし、当該頭部８ａと波状部６との接触面積または接触領域が六角形などの通常の頭部の場合よりも大きくなるようにしている（図３、図４参照）。このようにして両部材（プレート４と頭部８ａ）の接触面積または接触領域をできるだけ大きくした場合には、押圧時、波状部６に局所的な力が作用するのを防止することができるため、これによってプレート４に捻りが加わったり特定箇所を曲げるような力が加わったりするのを回避し、当該プレート４を均等に曲げて平板状とすることが可能となる。
【００４３】
一方、ナット９には、波状部６のうち、少なくとも両側の山部の両方に当接することができる大きさのものが用いられている。本実施形態では必要十分な大きさの六角ナット９を採用し（図３参照）、この六角ナット９を回すことによってボルト８の軸方向に移動させ、頭部８ａとで波状部６を挟み込んで押圧することができるようにしている（図１等参照）。
【００４４】
なお、ナット９を回して波状部６を締め付ける際、ボルト８が空回りするのを防ぐための回り止め１１を備えていることが好ましい。回り止め１１を備えていれば、ナット９の回転量に応じた分だけ押圧力を徐々に大きくしながらプレート４を必要十分な程度まで変形させることが可能となり、その分だけ無駄な手間が省けて効率がよくなる。例えば本実施形態では、ボルト８の頭部８ａであってプレート４と接触する面に係合突起１１ａを形成し（図５、図６参照）、プレート４に設けた係合孔１１ｂにこの係合突起１１ａを落とし込んで係合させ、回り止め１１として機能させることとしている（図３、図４参照）。なお、このような係合突起１１ａおよび係合孔１１ｂは一組設けられていれば回り止め１１として足りるが、本実施形態では、プレート４の貫通孔４ａを中心とした対称位置に一対の係合孔１１ｂを設けるとともに、ねじ部８ｂを中心とした対称位置に一対の係合突起１１ａを設け、計二組を設けることとしている（図４、図６参照）。ただし、以上の実施形態は回り止め１１の構成の一例に過ぎず、例えば、ボルト８の頭部８ａをさらに大型化し、頭部８ａの一部がプレート４のいずれかの部分に引っ掛かってそれ以上回らないようにすることによって回り止め１１を構成し、本実施形態と同様の効果が得られるようにすることも可能である。
【００４５】
また、押圧時にプレート４の波状部６を効果的に変形させるという観点からすれば、プレート４のうち、波状部６が形成されている部分の一部を切り欠いておいて面積を少なくしておくことも好ましい。こうした場合、変形させたい部分にのみ有効に押圧力を作用させ、比較的小さな力でプレート４を変形させることが可能となる。例えば本実施形態の場合には、プレート４の縦方向にそれぞれ対称形状の略半円形状の切り欠き１２を設け、波状部６の面積（ないしは領域）を小さくしている（図３、図４参照）。特に図示はしていないが、同様の観点からすれば、プレート４のうち波状部６が形成されている部分をその他の部分よりも薄く形成するということも可能である。
【００４６】
一方、仕上材支持アンカー１が取り付けられる仕上材２の裏面には、仕上材支持アンカー１の係止爪５を係止させるための係止溝３が設けられている（図２等参照）。例えば本実施形態の係止溝３は平行に延びる２本の溝によって構成されており、それぞれの溝に各係止爪５が引っ掛けられる構造となっている。また、これら２本の係止溝３はその断面形状が、それぞれの溝が内側に切れ込むように斜めであり両方で略Ｖ字形となるように形成されている。このように断面視略Ｖ字形に形成された係止溝３は、外側から引っ掛けられるフック状の係止爪５を係止させ、その状態で外れないようにして仕上材２の所定位置に仕上材支持アンカー１を固定させる（図２参照）。
【００４７】
続いて、本実施形態の仕上材支持アンカー１を利用して壁面１０に仕上材２を取り付ける際の手順ないしは工程について説明する（図１等参照）。ここでは、一例として、テラコッタタイルからなる仕上材２に仕上材支持アンカー１を固定し、この仕上材支持アンカー１を利用して当該仕上材２を壁面１０に取り付ける場合について説明する。
【００４８】
まず、係止爪５が開いている状態（図１に示す実線の状態）で両側の係止爪５をそれぞれ係止溝３に差し入れ、仕上材２上の所定位置にいわば仕上材支持アンカー１を仮止めした状態とする。そうしたら、この状態でナット９を回し込み、ボルト８の頭部８ａとこのナット９とでフレーム４の波状部６を徐々に締め付けて押圧する。これにより波状部６は徐々に変形し、一対の係止爪５が内側に閉じて係止溝３に係止した状態となり、その結果、仕上材支持アンカー１が仕上材２上に固定される（図１、図２参照）。以上のような簡単な手順（工程）にて仕上材支持アンカー１を固定したら、引き続き、同様にして他の仕上材支持アンカー１を仕上材２上の所定位置に順次取り付けて固定する。
【００４９】
所定数の仕上材支持アンカー１を仕上材２の裏面の所定位置に固定したら、続いて、これら仕上材支持アンカー１を利用して当該仕上材２を壁面１０に取り付ける。ここで、仕上材２の取り付けの一例としては、壁面１０上の所定位置に仕上材支持アンカー１をモルタル２０で接合する手法を挙げることができる（図７参照）。すなわち、各仕上材支持アンカー１と対応する壁面１０上の位置にこれら仕上材支持アンカー１の少なくとも一部（例えば、ボルト８のねじ部８ｂの一部）を収容可能な窪みをあらかじめ形成しておき、そこにモルタル２０を流し込んで接合するという手法である。こうした場合、壁面１０の所定位置に固定された仕上材支持アンカー１によって仕上材２が固定されることとなる。この場合、ねじ部８ｂにはナットなどからなるプレート状の抜け止め２１を設けておくことが好ましい（図７参照）。
【００５０】
以上説明した本実施形態の仕上材支持アンカー１は、プレート４自体の形状に由来する変形作用を利用して仕上材２に取り付けられるものであり、取付作業時において押圧部材７の一部（例えばボルトの先端など）が仕上材２に接触するようなことがない。また、仕上材支持アンカー１が仕上材２に取り付けられた状態においても、当該仕上材支持アンカー１の本体が両側の係止爪５のみによって支持された状態にあることから、押圧部材７は仕上材２から乖離していわば宙に浮いた状態となっており仕上材２の裏面には接触していない。つまり、取付開始から終了までの間、押圧部材７の一部が仕上材２に強く押し付けられたり擦り付けられたりするようなことはないために、従来技術（図２５参照）のように仕上材２に傷が付いたり局所的圧力がかかって変形やひび割れを生じたりするようなことが皆無である。また、当然のことであるが、押圧部材７をさらに強く締め付けて押圧力を大きくしたとしてもやはり傷が付いたり変形等を生じたりするようなことがないのは同様である。
【００５１】
加えて、本実施形態の仕上材支持アンカー１の場合には、プレート４の変形時、係止爪５が移動して下がることから、相対的に、プレート４の波状部６や押圧部材７が仕上材２の裏面からさらに乖離する構造となっている（図１参照）。この場合、プレート４の足の長さ（つまり波状部６から係止爪５までの長さ）を変えれば壁面１０から仕上材２までの支持高さを適宜変えることができるという利点もある。
【００５２】
なお、上述の実施形態は本発明の好適な実施の一例ではあるがこれに限定されるものではなく本発明の要旨を逸脱しない範囲において種々変形実施可能である。例えば本実施形態では仕上材２の一例としてテラコッタタイルを例示したうえで説明したが、これは一例にすぎず、他の材質からなる陶板など、テラコッタタイル以外の仕上材２に対しても本発明を適用することができる。
【００５３】
また、本実施形態ではプレート４の一例として、矩形の板状物を所定形状に折り曲げ、尚かつ略半円形の切り欠き１２を設けたものを説明したが、これは好適な例であって他の形状ないしは材質とすることもできる。すなわち、押圧したときの変形動作によって係止爪５を仕上材２の所定位置に係止させることができるものであれば上述したような形状には限られることはなく種々の形状とすることが可能である。また、本実施形態では金属製のプレート４を例に説明したが、押圧時に所定の変形動作をし、尚かつ仕上材２の支持用アンカー（支持部材）として必要な強度を備えるものであれば特に金属製に限られることはなく、例えば樹脂製とすることも可能である。樹脂製とした場合には、必要な強度を確保しつつ軽量化を図れるという利点もある。具体的には、いわゆるエンジニアプラスチックと呼ばれるものの中で所要の強度を備えているプラスチック材料、繊維で複合強化されたプラスチック材料などが適用可能である。
【００５４】
また、仕上材２を壁面１０へと取り付けるにあたり、本実施形態においては壁面１０の窪みに仕上材支持アンカー１の一部を収容し、そこにモルタル２０を流し込んで接合するという手法を説明したがこれも一例に過ぎず、他の手法を採用することもできる。以下では、具体的なその他の手法をそれぞれ第２〜第５の実施形態として説明する（図８〜図１５参照）。
【００５５】
第２の実施形態は、ボルト８と壁面１０との間にアンカー取付部材１３を介在させ、このアンカー取付部材１３を利用して仕上材支持アンカー１および仕上材２を壁面１０に取り付けるというものである（図８参照）。こうした場合には、壁面１０の材質によっても変わるが、モルタルを使わずとも、例えばセルフタップねじ（ノープラグビス）によるビス止め、プラグを利用したビス止め、ハイアンカー（別のアンカー部材）を利用した固定など、モルタル以外の各種取付方法が可能となる。アンカー取付部材１３としては種々のものが考えられるが、一例を示せば、ボルト８のねじ部８ｂに取り付けられる透孔１３ａと、壁面１０への締結手段（例えば壁面１０へねじ込まれるねじ等）１４の一部を通過させる締結用の透孔１３ｂとを備えた部材を挙げることができる（図８参照）。このようなアンカー取付部材１３は、仕上材支持アンカー１と壁面１０との間に介在し、壁面１０上でこれら仕上材支持アンカー１や仕上材２を支持することから、仕上材支持アンカー１の一部を壁面１０に埋め込む必要がなくなる。また、このようなアンカー取付部材１３を利用する場合には、図８に示すように、プレート４とナット９との間にこのアンカー取付部材１３を設置することができる（図８参照）。こうした場合にはプレート４とナット９とでアンカー取付部材１３を挟み付けて固定することができるため、固定用の他の部材が不要となる。この場合のアンカー取付部材１３は、ナット９の代わりにプレート４を直接押圧して変形させる（図８参照）。もちろんこれも一例であって、特に図示はしていないが、ナット９を取り付けてからアンカー取付部材１３をねじ部８ｂに取り付けることとしてもよい。なお、ここでは１３ａ，１３ｂともに透孔である場合を例示したがこれらは必ずしも透孔である必要はなく、例えば切り欠きとしても同様に機能させることが可能である。
【００５６】
以上のようなアンカー取付部材１３を利用するにあたっては、仕上材支持アンカー１や仕上材２に対して傾斜した状態で利用することもできる（図９参照）。例えば、仕上材２の端寄りの裏面に仕上材支持アンカー１を固定しておき、このような仕上材２を複数用意して壁面１０に順次取り付けていくような場合、アンカー取付部材１３をあらかじめ傾斜させた状態で取り付けておけば、隣接するアンカー取付部材１３どうしが干渉するのを避けつつ、仕上材２どうしをできるだけ密に配置することが可能になる（図９参照）。こうした場合には、仕上材２どうしの隙間（目地の部分）を極力狭くし、この目地の部分に締結手段（ねじ等）１４をねじ込む（あるいは打ち込む）ようにして仕上材支持アンカー１および仕上材２を取り付けることが可能となる。
【００５７】
第３の実施形態は、ボルト８と壁面１０との間に介在させたアンカー取付部材１３を利用するという点では上述の場合と同じであるが、ここでは、アンカー取付部材１３に、壁面１０へ直接または間接的に引っ掛かることが可能な鉤状の係合手段１５を設けることとしている（図１０、図１１参照）。こうした場合には、複数枚の仕上材２のそれぞれを係合手段１５を利用して一枚ずつ壁面１０に引っ掛けるようにして取り付けることができるようになる。この場合、壁面１０には、鉤状の係合手段１５が引っ掛かるような窪みをあらかじめ設けておいてもよいし、係合手段１５が引っ掛かる形状の胴縁などからなる支持部材（図１０において符号１６で示す）をあらかじめ設けておいてもよい（図１０参照）。いうまでもなく、このような鉤状の係合手段１５を利用した場合には壁面１０への仕上材２の取付作業が簡便になるとともに、掛け替え時などにおいて取り外す作業も同様に簡便に済むという利点がある。また、隣接する仕上材２どうしの間の隙間をなくすことも可能となるから、壁面１０をあたかも連続する単一の仕上部材で処理したかのように処理することができるようになる。
【００５８】
第４の実施形態も、ボルト８と壁面１０との間に介在させたアンカー取付部材１３を利用するという点では上述の場合と同じであるが、ここでは、アンカー取付部材１３として、壁面１０に取り付けられる例えば金属製の下地用パネル材を利用している（図１２参照）。例えばこの実施形態では、ボルト８のねじ部８ｂに取付可能なワッシャ１８およびナット１９を利用してこのアンカー取付部材（下地用パネル材）１３を仕上材支持アンカー１および仕上材２と一体化し、１つのユニットを形成することとしている。アンカー取付部材１３と仕上材２との間には、いわばパッキンのように機能する弾性接着剤１７を介在させている。このアンカー取付部材１３は、例えば当該アンカー取付部材（下地用パネル材）１３の上端と下端とを支持する取付治具２２によって壁面１０に取り付けられるようになっている（図１２参照）。取付治具２２は、例えば胴縁やファスナーなどで構成することができる。
【００５９】
第５の実施形態も、ボルト８と壁面１０との間に介在させたアンカー取付部材１３を利用するという点では上述の場合と同じであるが、ここでは、アンカー取付部材１３として、途中が直角に曲がってＬ字形状となっているブラケット状の部材（横胴縁材）を採用するとともに、これを直接ボルト８に取り付けることとしている（図１３参照）。符号２３は、このアンカー取付部材１３とは別部材である下地用パネル材である。また、図１３において仕上材２の裏面を覆っている斜線部分は、テラコッタタイルや陶板が万が一割れた際に飛散するのを防止するための裏面処理またはその処理材を表している。ちなみに、本実施形態においてはアンカー取付部材（横胴縁材）１３と下地用パネル材２３のいずれにもアルミ材を用い、軽量化を図ることとしている。ここでは特に図示していないが、アンカー取付部材１３は他部材を介して壁面１０に取り付けられ、これによって仕上材支持アンカー１および仕上材２が当該壁面１０に設置される。ただし壁面１０への取り付け方がこれに限られるというわけではなく、ブラケットの先端部分を直接ビス止めするなどして壁面１０に直接取り付けることももちろん可能である。また、ナット１９が緩むのを確実に防止するという観点からすれば図１３に示しているようにダブルナット構造とすることも好ましい。なお、図１４と図１５に、仕上材支持アンカー１およびアンカー取付部材１３が取り付けられた仕上材２を裏面（壁面１０へ取り付けられる方の面）から見た様子を参考までに示している。ただし、本実施形態の仕上材２の裏面側には下地用パネル材２３が取り付けられているため（図１３参照）、図１４と図１５ではこのパネル材越しにみた図として表れている（図１４、図１５参照）。ここでは、１枚の仕上材２に２個の仕上材支持アンカー１を取り付けたものを１つのモジュールとしたうえで、このようなモジュールを縦横に並べて壁面１０に順次取り付けていくことになる。なお、アンカー取付部材１３上の透孔１３ａを長孔とすることも好ましい。こうした場合には、例えば壁面１０への取付時、アンカー取付部材１３の相対位置を長孔方向にずらすようにして壁面１０への取付位置を微調整することが可能となり、取付作業を簡便にすることができる。
【００６０】
また、上述の第２〜第５の実施形態に共通することとして、いずれの仕上材支持アンカー１も、ボルト８はそのねじ部８ｂが少なくともアンカー取付部材１３が取り付けられるのに十分な程度となっている。このようにねじ部８ｂを必要十分な長さとした各実施形態の仕上材支持アンカー１によれば、このボルト８のねじ部８ｂを利用して、どのような形態かにかかわらずアンカー取付部材１３を取り付けることができる。また、このアンカー取付部材１３自身が、ナット９の緩み防止部材として機能することも期待することができる。なお、アンカー取付部材１３と仕上材２との間に他部材を介在させる場合には、ねじ部８ｂの長さはその分の厚みも考慮したものとなることはいうまでもない。上述したように、図１２に示したボルト８のねじ部８ｂの長さは、アンカー取付部材１３と仕上材２との間に介在する弾性接着剤１７の厚みを考慮したものとなっている（図１２参照）。また、ねじ部８ｂの長さは必要十分なものであればよいから、図１０に示すように短くすることもできる。
【００６１】
以下では、仕上材支持アンカー１のさらに他の例を説明しておく（図１６〜図１９参照）。ここで示す仕上材支持アンカー１は、所定形状（例えば略山形）に曲げられて形成されたプレート４からなり、両足の係止爪５を広げた状態で仕上材２に取り付けられた後は、プレート４の弾性に起因する復元力により、両係止爪５を係止溝３に係止させた状態を維持するというものである（図１９参照）。プレート４の材質としては、両足を広げることができて尚かつ自己復元して両足を閉じ、しかも容易には広がらない程度の弾性を有する鋼材（いわゆるばね鋼材）が好適だが、同様の特徴を有する限りはその他の材料（例えば上述の実施形態で説明したような樹脂材など）を適用することもできる。
【００６２】
両側に設けられている係止爪５の内側への折り曲げ角度は特に限定されるものではないが、より強固かつ確実に固定するという観点から、上述した実施形態と同様、仕上材２に取り付けられたときに係止溝３の角度とほぼ一致する角度としている（図１９参照）。このような形態とした場合には各係止爪５が係止溝３の内面に面接触できるようになって接触領域が増えることから、線接触する場合に比べて安定度が増し、仕上材支持アンカー１がより強固かつ確実に固定されるようになる。このような係止爪５をもつ仕上材支持アンカー１を仕上材２に取り付ける場合、両足を開くと係止爪５の角度も開くが、仕上材２への取付後に自己の弾性で両足を閉じることによって係止爪５の角度が係止溝３の角度に一致する（図１９参照）。
【００６３】
また、この仕上材支持アンカー１は、プレート４の両足の一部が仕上材２の表面と平行となるように形成されている（図１９参照）。こうした場合には、仕上材２に取り付けられた状態のときの仕上材支持アンカー１と仕上材２との接触領域が増えることとなり、安定度がさらに増して仕上材支持アンカー１がより強固かつ確実に固定されるようになる。
【００６４】
さらに、この仕上材支持アンカー１のプレート４には開口部４ａが設けられている（図１６〜図１８参照）。この開口部４ａは、仕上材支持アンカー１がモルタルを用いて実際に仕上材２に取り付けられる際、モルタルがこのプレート４の内側に十分に入り込み、尚かつプレート４の裏側にまで隙間なく回り込むことを可能とするためのものである。したがってこのように開口部４ａのある仕上材支持アンカー１を用いた場合には、開口のない仕上材支持アンカー１よりもモルタルがプレート４の内側に容易に入り込むことから、プレート４の内側にモルタルを十分に充填して仕上材２に確実に固定することが可能となる。例えばこの仕上材支持アンカー１の場合には、プレート４の両足付近にまで伸び、尚かつプレート幅のおよそ半分以上の幅を有する平面視矩形の開口部４ａを設け、モルタルがプレート４の内側に容易に入り込むようにしている（図１６等参照）。
【００６５】
加えて、この仕上材支持アンカー１のプレート４は、固化したモルタルによって確実に保持される形状に形成されている。すなわち、プレート４に上述のような開口部４ａを設けることによってモルタルが十分に充填されるようにしたうえで、プレート４が固化後のモルタルにより確実に引っ掛かって保持されるようにしている。具体的には、プレート４の形状を、両足部分から中央部分（略山形の頂上部分）へと向かうにつれて徐々にプレート幅が広くなるいわば逆テーパ形状としている（図１８参照）。しかも、平面視矩形の開口部４ａを設けたこの仕上材支持アンカー１の場合には、該開口部４ａとプレート縁の間の両帯状部分４ｂ自体の幅も、両足部分から中央部分へと向かうにつれて徐々に幅が広くなっている（図１８参照）。こうした場合、特に中央部分付近においてプレート４とモルタルとの接触領域が広がることになるため、プレート４の内側にモルタルが容易に流れ込むようにしつつ、固化後のモルタルによってプレート４を確実に支持できるようにしている。このことは、モルタルの固化後、仕上材支持アンカー１および仕上材２を壁面１０で支えるのに必要な強度が得られやすいということでもある。
【００６６】
続けて、以上説明した仕上材支持アンカー１の変形例も説明しておく（図２０〜図２３参照）。この仕上材支持アンカー１は、プレート４が略山形となっている点、平面視矩形の開口部４ａが設けられている点などは上述のものと共通しているが、両足の係止爪５の幅がプレート幅よりも広く形成されている点で異なる（図２０等参照）。このように両足の係止爪５の幅を広く形成した場合には、当該係止爪５と仕上材２との接触領域が広がることによってより強固かつ確実に仕上材支持アンカー１を仕上材２に係止させることができるようになることはいうまでもない。また、このような仕上材支持アンカー１は、中央部から両足部にかけてプレート４の縁がくびれた形状となることから、そうでない形状の支持アンカーよりも目を引くという意匠的効果も期待できる。
【図面の簡単な説明】
【００６７】
【図１】本発明にかかる仕上材支持アンカーの構成例を、波状部を押圧した場合のプレートの変形動作とともに示す図である。
【図２】図１に示した仕上材支持アンカーを壁面上に取り付けた様子を示す図である。
【図３】図１に示した仕上材支持アンカーの平面図である。
【図４】図１に示した仕上材支持アンカーのうちプレートのみを示す底面図である。
【図５】図１に示した仕上材支持アンカーのうちボルトのみを示す図である。
【図６】図５に示したボルトと、これに嵌め込まれるナットを示す平面図である。
【図７】仕上材支持アンカーをモルタルを用いて外壁面に取り付けた様子を示す図である。
【図８】本発明の第２の実施形態を示す図で、ボルトと壁面との間にアンカー取付部材を介在させ、このアンカー取付部材を利用して仕上材支持アンカーおよび仕上材を壁面に取り付けるようにした構造を表したものである。
【図９】本発明の第２の実施形態において、アンカー取付部材を傾斜させた状態で利用する場合を示す図である。
【図１０】本発明の第３の実施形態を示す図で、アンカー取付部材に、壁面へ直接または間接的に引っ掛かることが可能な鉤状の係合手段を設けた構造を表したものである。
【図１１】図１０におけるアンカー取付部材の形状を示す斜視図である。
【図１２】本発明の第４の実施形態を示す図で、アンカー取付部材として、壁面に取り付けられる例えば金属製の下地用パネル材を利用した場合を表したものである。
【図１３】本発明の第５の実施形態を示す図で、アンカー取付部材として、途中が直角に曲がってＬ字形状となっているブラケット状の部材（横胴縁材）を利用した場合を表したものである。
【図１４】図１３に示した仕上材支持アンカーおよびアンカー取付部材が取り付けられた仕上材を裏面から見た様子を表したものである。
【図１５】図１４の一部を拡大して表した図である。
【図１６】略山形に曲げられて形成されたプレートからなり、プレートの弾性に起因する復元力により両係止爪を係止溝に係止させる仕上材支持アンカーの一例を示す平面図である。
【図１７】図１６に示した仕上材支持アンカーの底面図である。
【図１８】図１６に示した仕上材支持アンカーの側面図である。
【図１９】図１６に示した仕上材支持アンカーが仕上材に取り付けられた状態を示す正面図である。
【図２０】略山形に曲げられて形成されたプレートからなり、プレートの弾性に起因する復元力により両係止爪を係止溝に係止させる仕上材支持アンカーの他の例を示す平面図である。
【図２１】図２０に示した仕上材支持アンカーの底面図である。
【図２２】図２０に示した仕上材支持アンカーの側面図である。
【図２３】図２０に示した仕上材支持アンカーが仕上材に取り付けられた状態を示す正面図である。
【図２４】従来の仕上材支持アンカーの一例を示す図である。
【図２５】従来の仕上材支持アンカーの他の例を示す図である。
【符号の説明】
【００６８】
１  仕上材支持アンカー
２  仕上材
３  係止溝
４  プレート
４ａ  貫通孔
５  係止爪
６  波状部
７  押圧部材
８  ボルト
８ａ  頭部
８ｂ  ねじ部
９  ナット
１０  壁面（外壁面等）
１１  回り止め
１２  切り欠き
１３  アンカー取付部材
１３ａ  ねじ孔
１３ｂ  透孔または切り欠き
１４  締結手段
１５  係合手段
【図１】
2006144420.tif 000003
【図２】
2006144420.tif 000004
【図３】
2006144420.tif 000005
【図４】
2006144420.tif 000006
【図５】
2006144420.tif 000007
【図６】
2006144420.tif 000008
【図７】
2006144420.tif 000009
【図８】
2006144420.tif 000010
【図９】
2006144420.tif 000011
【図１０】
2006144420.tif 000012
【図１１】
2006144420.tif 000013
【図１２】
2006144420.tif 000014
【図１３】
2006144420.tif 000015
【図１４】
2006144420.tif 000016
【図１５】
2006144420.tif 000017
【図１６】
2006144420.tif 000018
【図１７】
2006144420.tif 000019
【図１８】
2006144420.tif 000020
【図１９】
2006144420.tif 000021
【図２０】
2006144420.tif 000022
【図２１】
2006144420.tif 000023
【図２２】
2006144420.tif 000024
【図２３】
2006144420.tif 000025
【図２４】
2006144420.tif 000026
【図２５】
2006144420.tif 000027